(57)【要約】      （修正有）【課題】歩行サイクルの間、快適さを提供し、かつ効率的な推進を促進し、ユーザーの足を支持及び保護する靴を提供する。【解決手段】中間底１００は、プラットフォーム１０４と、格子構造、すなわち格子１０８とを含む。プラットフォーム１０４は、第１の表面１１２と、第１の表面１１２の反対側の第２の表面１１６と、を含む。第１の表面１１２は、ユーザーが、例えば、中間底１００を含む靴などの靴を着用しているときに、ユーザーの足の底面に向かって配置されるように構成される。ユーザーが、例えば、中間底１００を含む靴を着用しているとき、第２の表面１１６は、ユーザーの足の底面から離れる方向に配置されるように構成される。格子１０８は、プラットフォーム１０４の第２の表面１１６と一体的に形成され、プラットフォーム１０４の実質的にすべての第２の表面１１６を覆う。【選択図】図４
0003192899.tif 000002
【実用新案登録請求の範囲】
【請求項１】
靴であって、
靴甲部と、
前記靴甲部に結合された靴底であって、前記靴底は、
つま先部分と、踵部分と、内側部分と、外側部分とを有するプラットフォームであって、着用者の足底と向き合うように構成される第１の表面と、前記第１の表面の反対側の第２の表面とを有するものである、前記プラットフォームと、
前記プラットフォームの前記第２の表面から延在する格子であって、複数のラスを含み、前記複数のラスの各ラスは長手方向の軸と２つの端部とを有する長手方向の構造を有し、前記複数のラスは少なくとも第１の領域及び第２の領域に配置され、当該第１の領域内の各ラスは当該第２の領域内の各ラスの周囲寸法とは実質的に異なる周囲寸法を有するものである、前記格子と
を含むものである、前記靴底と
を含む靴。
【請求項２】
請求項１記載の靴において、
前記格子は、更に、複数のセルユニットを備え、
前記複数のセルユニットの各セルユニットは複数の面によって画定され、
前記複数の面の各面は、複数の隣接する頂点によって形成される平面内の区域によって画定され、
前記複数の隣接する頂点の各頂点は、結合された前記複数のラスのうちのいくつかのラスの各々の２つの端部のうち一端部によって形成され、
前記複数のセルユニットのうちのすべてのセルユニットは、前記隣接する頂点で結合される前記複数のラスの前記長手方向の軸に沿って延在する実質的に均一な体積を有するものである靴。
【請求項３】
請求項２記載の靴において、
前記格子は、更に、複数の不均一な部分的セルユニットを含み、
各不均一な部分的セルユニットは少なくとも２つの部分的な面によって画定され、
前記少なくとも２つの部分的な面の各部分的な面は、少なくとも１つの頂点及び当該少なくとも１つの頂点において結合される、前記複数のラスのうちの２つのラスの少なくとも一部分によって形成される平面内の区域によって画定されるものである靴。
【請求項４】
請求項２記載の靴において、前記複数の頂点の一部は、４つの互いに結合するラスの端部によって形成されるものである靴。
【請求項５】
請求項２記載の靴において、各セルユニットは、前記格子が規則正しい繰り返しパターンを有するように隣接するセルユニットに当接するものである靴。
【請求項６】
請求項２記載の靴において、各セルユニットは、実質的に八面体として形成されるものである靴。
【請求項７】
請求項２記載の靴において、前記格子は、前記つま先部分から前記踵部分まで、及び前記内側部分から前記外側部分まで延在するものである靴。
【請求項８】
請求項１記載の靴において、前記格子は、単一の一体型部品として形成されるものである靴。
【請求項９】
請求項１記載の靴において、前記格子は、前記プラットフォームと一体的に形成されるものである靴。
【請求項１０】
前記第１の表面は、前記着用者の前記足底に適合するように輪郭が形成されるものである靴。
【請求項１１】
靴のための中間底であって、
つま先端部と、踵端部と、土踏まず側部と、外側部とを有するプラットフォームであって、着用者の足底と向き合うように構成される第１の表面と、前記第１の表面の反対側の第２の表面とを有するものである、前記プラットフォームと、
前記プラットフォームの前記第２の表面と一体的に形成される格子であって、
前記つま先端部、前記踵端部、前記土踏まず側部、及び前記外側部に対して相対的に配設される複数の領域であって、少なくとも第１の領域及び第２の領域を含むものである、前記複数の領域と、
複数のラスであって、前記複数のラスの各ラスは、長手方向の軸と２つの端部とを有する長手方向構造を有し、かつその長手方向の軸を中心とした周囲寸法を有するものであり、前記複数のラスは複数の領域に配置され、ラスの第１の部分は前記第１の領域内に配設され、ラスの第２の部分は前記第２の領域内に配設されるものであり、前記ラスの第１の部分における各ラスは、前記ラスの第２の部分における各ラスの第２の周囲寸法とは実質的に異なる第１の周囲寸法を有するものである、前記複数のラスと、
を含むものである、
前記格子と
を有する中間底。
【請求項１２】
請求項１１記載の中間底において、
前記格子は、更に、前記第１の領域と前記第２の領域との間に配設される遷移区域を含み、
ラスの遷移部分は前記遷移区域内に配設され、
前記ラスの遷移部分内における前記ラスの周囲寸法は、前記第１の周囲寸法と前記第２の周囲寸法との間の段階的に変化する寸法である中間底。
【請求項１３】
請求項１１記載の中間底において、前記格子は単一の一体型部品として形成されるものである中間底。
【請求項１４】
請求項１１記載の中間底において、前記プラットフォーム及び前記格子は、ゲート痕、スプール痕（ｓｐｒｕｅ  ｍａｒｋｓ）、分割線痕（ｐａｒｔｉｎｇ  ｌｉｎｅ  ｍａｒｋｓ）、及び突出しピン痕（ｅｊｅｃｔｏｒ  ｐｉｎ  ｍａｒｋｓ）なしで一体的に形成されるものである中間底。
【請求項１５】
請求項１１記載の中間底において、前記格子は、更に、複数のセルユニットを含み、
前記複数のセルユニットの各セルユニットは少なくとも２つの面によって画定され、
前記少なくとも２つの面の各面は、少なくとも１つの頂点及び当該少なくとも１つの頂点において結合される、前記複数のラスのうちの２つのラスの２つの長手方向の軸の少なくとも一部分によって形成される平面内の区域によって画定されるものである中間底。
【請求項１６】
請求項１５記載の中間底において、
前記複数のセルユニットの少なくとも一部分は、複数の面によって画定され、
前記複数の面の各面は、複数の隣接する頂点によって形成される平面内の区域によって画定され、
前記複数の隣接する頂点の各頂点は、結合された前記複数のラスのうちのいくつかのラスの各々の２つの端部のうち一端部によって形成され、
前記複数のセルユニットの前記少なくとも一部分におけるすべてのセルユニットは、前記複数の頂点のうちいくつかの隣接する頂点によって画定され、且つ前記隣接する頂点で結合される前記複数のラスの長手方向の軸に沿って延在する実質的に均一な体積を有するものである中間底。
【請求項１７】
請求項１６記載の中間底において、前記複数の隣接する頂点の一部分の頂点は、結合された４つのラスの一端部によって形成され、各セルユニットは実質的に八面体として形成されるものである中間底。
【請求項１８】
請求項１７記載の中間底において、前記複数の隣接する頂点の少なくとも一部分は、前記複数のセルユニットの前記少なくとも一部分のうち２つの隣接したセルユニットによって共有され、それにより、前記複数の隣接した頂点の前記少なくとも一部分は、結合された８つのラスの一端部によって形成され、実質的に８面体として形成される２つのセルユニットは相互の上に積み上げられるものである中間底。
【請求項１９】
靴を製造する方法であって、
プラットフォームと当該プラットフォームと一体的に形成される格子構造とを有する中間底を、ユーザーの足底に適合するように前記プラットフォームの第１の表面を印刷すること、及び前記格子構造を前記プラットフォームの前記第１の表面と反対側の第２の表面上に印刷することによって印刷する工程と、
前記格子構造が実質的に表底に向き合い、かつ前記プラットフォームが実質的に靴甲部に向き合うように、前記中間底を実質的に表底の内に配置する工程と
を含む方法。
【請求項２０】
請求項１９記載の方法において、前記格子構造を印刷する工程は、複数の頂点で結合された複数のラスを印刷する工程を含み、これにより、前記複数の頂点のうちのいくつかの隣接する頂点によって画定され、かつ前記隣接する頂点で結合された前記複数のラスの長手方向の軸によって境界付けられる複数のセルユニットが形成され、前記複数のセルユニットのセルユニットの少なくとも一部分は前記隣接する頂点のうち６つの頂点によって画定されるものである方法。
【考案の詳細な説明】
【技術分野】
【０００１】
本開示は、概して靴に関し、具体的には靴底に対する支持配設に関する。
【背景技術】
【０００２】
図１は、靴１０の内側が部分的に見えるように靴１０の一部を切り欠いた、ユーザーの足に着用される靴１０を示
す。靴１０は、靴甲部１４と、靴甲部１４に結合された靴底１８とを含む。靴甲部１４は、ユーザーの足の上面及び側面を覆い、靴底１８は、ユーザーの足の下面を覆い、地面と接触する。靴底１８は、典型的には中底（ｉｎｓｏｌｅ）２２と、中間底（ｍｉｄｓｏｌｅ）２６と、ユーザーが地面と接触する間、衝撃をやわらげ、かつユーザーの足を保護する表底（ｏｕｔｓｏｌｅ）３０とを含む。中底２２はユーザーの足に接触し、表底３０は地面に接触し、中間底２６は中底２２と表底３０との間に配設される。中底２２は、一般にユーザーの足に接触するのに快適な表面を提供し、典型的には本質的に、例えば、エチレン酢酸ビニルなどの、人工材料の薄い層からなる。一般に、ユーザーの足のためのクッション性及び衝撃吸収の大半は中間底２６によって提供され、典型的には、本質的に、例えば、泡、ジェル、又は空気を充填したカプセルなどの別の材料を包囲するポリウレタンなどのポリマーからなる。表底３０は、一般に、繰り返される衝撃及び地面との摩擦に耐えることができる耐久性のある表面を提供し、これは典型的には、本質的に、例えば、炭素ゴム又はブローラバーなどのゴムからなる。
【０００３】
靴底１８は、靴１０を着用したときにユーザーの踵が位置付けられるところに配設される踵端部３４と、踵端部３４の反対側に配設され、靴１０を着用したときにユーザーのつま先が位置付けられる、つま先端部３８とを含む。靴底１８は、また、靴１０を着用したときにユーザーの対称中心の最も近くに配設される内側面４２と、靴１０を着用したときにユーザーの対称中心からより遠い、内側面４２の反対側に配設される外側面４６とを含む。
【０００４】
ここで図２及び図３を参照すると、踵５４、つま先５６、土踏まず５８、内側面６０、及び外側面６２を含むユーザーの足５０の概略図が示される。図２は、足５０の骨の構造の斜視外側面図を示し、図３は、踵５４、つま先５６、土踏まず５８、内側面６０、及び外側面６２と関連して位置する複数の部位を示す、足５０の底面図を図示する。足５０の底面上の踵骨部位６６（図３に示す）は、ユーザーの踵５４の近くの、踵骨６８（図２に示す）の実質的に下に位置する。足５０の底面上の距骨部位７０（図３に示す）は、実質的にユーザーの距骨（図２に示す）７２の下方で、踵５４と土踏まず５８との間に位置する。足５０の底面上の長手方向の土踏まず部位７４（図３に示す）は、ユーザーの土踏まず５８の近くの、舟状骨７６、立方骨７８、及び楔状骨８０（図２に示す）の実質的に下に位置する。足５０の底面上の中足骨部位８２（図３に示す）は、ユーザーの中足骨８４（図２に示す）の実質的に下方で、土踏まず５８とつま先５６との間に位置する。足５０の底面上の母指球部位８６（図３に示す）は、中足趾節関節８８及び種子骨９０（図２に示す）の実質的に下方で、ユーザーの土踏まず５８とつま先５６との間の、外側面６２よりも内側面６０により近いところに位置する。足５０の底面上のつま先部位９２（図３に示す）は、ユーザーの指節骨９４（図２に示す）の実質的に下方で、つま先５６の近くに位置する。
【０００５】
ユーザーは、足で自身を推進するとき、歩行サイクルとして知られるサイクルの間に、異なる量の圧力を異なるときにそれぞれの足５０の中の様々な骨に加える。例えば、典型的な歩く運動の間、ユーザーが最初に自分の足５０の踵５４で地面に接触するときに歩行サイクルが開始しされ、それによって踵骨６８に圧力が印加される。ユーザーが、自分の体重を前向きに自分の足５０に移すと、踵骨６８に印加されている圧力がより少なくなり、距骨７２、舟状骨７６、立方骨７８、及び楔状骨８０に圧力を加え始める。ユーザーが、自分の足５０を離すように自分自身を推進し始めると、距骨７２、舟状骨７６、立方骨７８、及び楔状骨８０に加える圧力がより少なくなり、中足骨８４に圧力を加え始める。ユーザーが、自分自身を前方に推進すると、ユーザーは、中足骨８４に沿って、中足趾節関節８８及び種子骨９０に圧力を加える。最終的に、ユーザーがつま先を離し始め、地面との接触が終了すると、中足趾節関節８８及び種子骨９０に加わる圧力がより少なくなり、指節骨９４に圧力が加わる。最終的につま先を離すために、ユーザーは、前方に推進するように指節骨９４に圧力を加える。次いで、ユーザーは、自分の足５０を持ち上げて脚を揺り動かし、足を上げた位置に対して前方の位置に下すように足を定置する。ユーザーが、自分の足５０を再度下して定置するとき、最初に踵５４で地面に接触し、歩く運動の新しいサイクルを開始する。
【０００６】
歩行及び走行の数多くのスタイルを含む、前方に推進する数多くのスタイルには、上記に記載したものと実質的に類似の歩行サイクルが適用される。例えば、全力疾走又は足を引きずる歩行などの、前方に推進するいくつかのスタイルでは、足５０の異なる部分に、異なる量の時間の間、異なる量の圧力が加わる。追加的に、足５０の異なる部分に加わる特定量の圧力は、人によって様々である可能性がある。例えば、個人によっては、歩行サイクルを通して進行するのに、外側面６２と比べ内側面６０に対してより多くの圧力を加える。この特定の圧力の適用は、回内運動として知られる。対照的に、個人によっては、歩行サイクルを通して進行するのに、内側面６０と比べ外側面６２に対してより多くの圧力を加える。この特定の圧力の適用は、回外運動として知られる。更に、個人によっては、地面に接触するときにより多くの圧力を踵５４に加え、また別の個人では、足の土踏まず５８により近い部分で地面に接触する。
【０００７】
靴は、歩行サイクルの間、快適さを提供し、かつ効率的な推進を促進するように、ユーザーの足を支持及び保護するために設計される。しかしながら、足の解剖学的構造及び個人的な歩行サイクルスタイルの両方が人によって異なること起因して、一部の靴は、一部の人々にとっては、他の人々よりも快適かつ有用である。更に、歩行サイクルのすべての段階の間の様々なニーズに適合するように構成された靴を生産することには、靴の中に組み込まれなければならないたくさんの異なる特化した部品を生産することが含まれる可能性がある。部品の生産及び組み立ては、靴のコストに対する寄与因子である。一般に、より多数の部品を有する靴は、より少数の部品を有する靴より生産高である。前述の視点から、ユーザーにとって、快適かつ有用で、また生産が安価な靴を提供することは有利であろう。様々な足の解剖学的構造及び個人の歩行スタイルの独特なニーズに適合するように容易に特殊仕様にすることができる支持配設を有する靴を生産することも有利である。
【先行技術文献】
【特許文献】
【０００８】
【特許文献１】米国特許第６２０５６８２号明細書
【特許文献２】米国特許第６７６３６１１号明細書
【特許文献３】米国特許第４２９７７９６号明細書
【特許文献４】米国特許第４５３５５５３号明細書
【特許文献５】米国特許第５０２２１６８号明細書
【特許文献６】米国特許第５２５５４５１号明細書
【特許文献７】米国特許第５８９６６８０号明細書
【特許文献８】米国特許第６６０１３２１号明細書
【特許文献９】米国特許第７２０７１２５号明細書
【特許文献１０】米国特許第７５７１５５６号明細書
【特許文献１１】米国特許第７７８８８２７号明細書
【特許文献１２】米国特許出願公開第２００７／０２４０３３３号明細書
【特許文献１３】米国特許出願公開第２００９／０１２６２２５号明細書
【特許文献１４】米国特許出願公開第２００９／０１４５００５号明細書
【特許文献１５】米国特許出願公開第２００９／０２１１１１９号明細書
【特許文献１６】米国特許出願公開第２０１０／００５０４８０号明細書
【特許文献１７】米国特許出願公開第２０１０／０２２９４３０号明細書
【特許文献１８】米国特許出願公開第２０１１／０２６５３５２号明細書
【特許文献１９】米国特許出願公開第２０１１／０２７７３４９号明細書
【考案の概要】
【課題を解決するための手段】
【０００９】
本開示の１つの例示的な実施形態により、靴甲部と、靴甲部に結合された靴底とを含む靴が提供される。前記靴底は、つま先端部と、踵端部と、内側部分と、外側部分とを有するプラットフォームを含む。前記プラットフォームは、着用者の足底と向き合う第１の表面と、第１の表面の反対側の第２の表面とを有する。前記靴底は、前記プラットフォームの第２の表面から延在する格子も含む。前記格子は複数のラスを含み、各ラスは、長手方向の軸と２つの端部とを有する長手方向の構造を有する。前記ラスは、少なくとも第１の領域及び第２領域内に配置される。前記第１の領域内の各ラスは、前記第２の領域内の各ラスの周囲寸法とは実質的に異なる周囲寸法を有する。
【００１０】
本開示の別の例示の実施形態によると、プラットフォームと格子とを含む靴のための中間底が提供される。前記プラットフォームは、つま先端部と、踵端部と、土踏まず側部と、外側部とを有する。前記プラットフォームは、着用者の足底と向き合うように構成される第１の表面と、前記第１の表面の反対側の第２の表面とを有する。前記格子は、前記プラットフォームの前記第２の表面と一体的に形成される。前記格子は、前記つま先端部、前記踵端部、前記土踏まず側部、及び前記外側部に対して相対的に配設される複数の領域を含む。前記領域は、少なくとも第１の領域と、第２の領域とを含む。前記格子は、複数のラスも含む。各ラスは、長手方向の軸と、２つの端部とを有する長手方向の構造を有する。各ラスは、その長手方向の軸を中心とする周囲寸法も有する。前記ラスは、第１の部分が第１の領域内に配設され、第２の複数のラスが第２の領域内に配設されるように、領域内に配設される。前記第１の領域内の各ラスは、前記第２の領域内の各ラスの第２の周囲寸法とは実質的に異なる第１の周囲寸法を有する。
【００１１】
本開示の別の例示の実施形態によると、靴を製造する方法が提供される。前記方法は、プラットフォームの第１の表面をユーザーの足底に適合するように印刷すること、及び前記プラットフォームの第１の表面と反対側の第２の表面上に格子構造を印刷することによって、プラットフォーム及びプラットフォームと一体的に形成される格子構造を有する中間底を印刷する工程を含む。前記方法は、前記格子構造が実質的に表底に向き合い、かつ前記プラットフォームが実質的に靴甲部に向き合うように中間底を実質的に表底の内に配置する工程も含む。
【００１２】
上記に記載した特徴及び利点、並びに他の特徴及び利点は、以下の発明を実施するための形態、及び添付の図面を参照することにより、当業者にはより容易に明らかになるであろう。１つ以上の有利な特徴を提供する、靴、若しくは中間底、又は靴を製造する方法を提供するのが望ましいが、１つ以上の上記の利点を達成するかどうかにかかわらず、本明細書で開示される教示は、添付の特許請求の範囲内に含まれるこれらの実施形態にまで及ぶ。
【図面の簡単な説明】
【００１３】
【図１】先行技術で一般に既知の、そのままの靴の概略図である。
【図２】足の骨構造の内側面の概略図である。
【図３】足の底面の概略図である。
【図４】プラットフォームと、格子構造と、を含む、中間底の底部斜視図である。
【図５】図４の中間底の上面図である。
【図６】図４の格子構造のラスの概略図である。
【図７】図４の格子構造のセルユニットの概略図である。
【図８】図４の中間底の底面図である。
【図９Ａ】図４の格子の部分の概略図である。
【図９Ｂ】図４の格子の部分の概略図である。
【図９Ｃ】図４の格子の部分の概略図である。
【図１０】表底内に位置付けられた、図４の中間底の底面図である。
【図１１】図４の中間底を形成するためのプロセスを示す流れ図である。
【図１２】図４の中間底を形成するための別のプロセスを示す流れ図である。
【考案を実施するための形態】
【００１４】
図４に示すように、中間底１００は、プラットフォーム１０４と、格子構造、すなわち格子１０８とを含む。プラットフォーム１０４は、第１の表面１１２と、第１の表面１１２の反対側の第２の表面１１６と、を含む。第１の表面１１２は、ユーザーが、例えば、図１に示す中間底１００を含む靴１０などの靴を着用しているときに、ユーザーの足５０（図２及び図３に示す）の底面に向かって配置されるように構成される。ユーザーが、例えば、図１に示す靴１０などの、中間底１００を含む靴を着用しているとき、第２の表面１１６は、ユーザーの足５０（図２及び図３に示す）の底面から離れる方向に配置されるように構成される。格子１０８は、プラットフォーム１０４の第２の表面１１６と一体的に形成され、プラットフォーム１０４の実質的にすべての第２の表面１１６を覆う。本明細書で使用される場合、「と一体的に形成される」という句は、全体として分離できないように、同一の材料からともに形成されることを意味することを意図する。プラットフォーム１０４及び格子１０８は、本質的に、例えば、ナイロンなどの、例えば、ポリマーからなる。
【００１５】
図５を参照すると、プラットフォーム１０４は、第１の表面１１２上に形成され、ユーザーの足５０（図２及び図３に示す）の底面の表面の輪郭と適合するように構成される輪郭１１８も含む。輪郭１１８は、プラットフォーム１０４の第１の表面１１２から僅かに隆起した高さ及び明瞭に隆起した高さとして形成される地形の隆起部のように実質的に形成される。プラットフォーム１０４をユーザーの足５０（図２及び図３に示す）の底面の表面の輪郭１１８と適合させることによって、当該プラットフォーム１０４により足５０（図２及び図３に示す）が受容されるとき、ユーザーは自然感を感じ、かつ強化された支持及び快適さが提供されるように構成される。
【００１６】
プラットフォーム１０４は、踵端部又は踵部分１２０と、つま先端部又はつま先部分１２４と、土踏まず側部又は内側部分１２８と、外側又は外側部分１３２と、も含む。プラットフォーム１０４は、中間底１００が、例えば、図１に示す靴１０などの靴に含まれるとき、踵部分１２０が、実質的に靴底１８（図１に示す）の踵端部３４の上方に位置付けられ、つま先部分１２４が、実質的に靴底１８（図１に示す）のつま先端部３８の上方に位置付けられ、内側部分１２８が、実質的に靴底１８（図１に示す）の内側面４２の上方に位置付けられ、外側部分１３２が、実質的に靴底１８（図１に示す）の外側面４６の上方に位置付けられるように構成される。したがって、ユーザーが中間底１０を含む靴を着用しているとき、踵部分１２０は、足５０（図２及び図３に示す）の踵５４を支持するように配設され、つま先部分１２４は、足５０（図２及び図３に示す）のつま先５６を支持するように配設され、内側部分１２８は、足５０（図２及び図３に示す）の内側面６０を支持するように配設され、外側部分１３２は、足５０（図２及び図３に示す）の外側面６２を支持するように配設される。
【００１７】
ここで図４に戻ると、格子１０８は、プラットフォーム１０４の第２の表面１１６から一般に外向きに延在する。格子１０８は、複数のラス（ｌａｔｈ）１３６を含む。明瞭化のために、図６は、複数のラス１３６のうちの１つのラス１３６の概略図を示す。ラス１３６は、長手方向の軸１４０と、第１の端部１４４と、第２の端部１４８と、を含む実質的に長手方向の構造を有する。図６の例示的な実施形態では、ラス１３６は、また、実質的に円筒形の形状である。ラス１３６は、長さ１５０と、周囲寸法１５２とを有し、長手方向の軸１４０を中心とし、第１の端部１４４から第２の端部１４８へと実質的に均一に伸びる。周囲寸法１５２は、ラス１３６の周径の尺度である。ラスは、実質的に円筒形に形成されるので、周囲寸法１５２は、長手方向の軸１４０からラス１３６の縁部まで、ラス１３６に垂直な方向で測定した半径Ｒで計算することができる。ラスの周囲寸法１５２は、２ｘπｘＲに等しい。少なくとも１つの例示的な実施形態では、ラス１３６の長さ１５０は、約９ミリメートルである。
【００１８】
図４を引き続き参照すると、格子１０８は、複数のセルユニット１５６も含む。明瞭化のため、図７は、複数のセルユニット１５６のうちの１つのセルユニット１５６の８つの図の概略図を示す。セルユニット１５６は、実質的に八面体として形成され、８つの面１６０Ａ〜１６０Ｈ、６つの頂点１６４Ａ〜１６４Ｆ、及び８つのラス１３６Ａ〜１３６Ｈによって画定される。面１６０Ａ〜１６０Ｈの各々は、実質的に正三角形として形成される。八面体は、それぞれの側面の長さによって決定される体積を有する。したがって、セルユニット１５６の体積は、それぞれのラスの長さ１５０によって決定される。少なくとも１つの例示の実施形態では、セルユニット１５６が約０．３４立方センチメートルの体積を有するように、それぞれのラス１３６Ａ〜１３６Ｈは、約９ミリメートルの長さを有する。このため、それぞれのラス１３６Ａ〜１３６Ｈの周囲寸法１５２（図６に示す）によってセルユニット１５６の体積は変更されず、セルユニット１５６の体積は、それぞれのラス１３６Ａ〜１３６Ｈの長手方向の軸１４０（図６に示す）によって画定される境界内で測定される。
【００１９】
引き続き図７を参照すると、６つの頂点１６４Ａ〜１６４Ｆの各々は、ラス１３６Ａ〜１３６Ｈのうちの少なくとも２つの第１の端部１４４又は第２の端部１４８（図６に示す）の交点又はこれらがともに結合することによって形成される。より具体的には、頂点１６４Ａは、４つのラス、１３６Ａ、１３６Ｂ、１３６Ｃ、及び１３６Ｄ、の端部の交点によって形成される。頂点１６４Ｂは、２つのラス、１３６Ａ及び１３６Ｅの端部の交点によって形成される。頂点１６４Ｃは、２つのラス、１３６Ｂ及び１３６Ｆの端部の交点によって形成される。頂点１６４Ｄは、２つのラス、１３６Ｃ及び１３６Ｇの端部の交点によって形成される。頂点１６４Ｅは、２つのラス、１３６Ｄ及び１３６Ｈの端部の交点によって形成される。最終的には、頂点１６４Ｆは、４つのラス１３６Ｅ、１３６Ｆ、１３６Ｇ、及び１３６Ｈの端部の交点によって形成される。
【００２０】
面１６０Ａ〜１６０Ｈのそれぞれは、頂点１６４Ａ〜１６４Ｆのうちの３つの隣接する頂点によって画定された平面内の、ラス１３６Ａ〜１３６Ｈのうちの２つのラスによって連結された区域によって画定される。より具体的には、面１６０Ａは、ラス１３６Ｃ及び１３６Ｄによって連結される、隣接した頂点１６４Ａ、１６４Ｄ、及び１６４Ｅによって画定される平面内の区域である。面１６０Ｂは、ラス１３６Ａ及び１３６Ｃによって連結される、隣接した頂点１６４Ａ、１６４Ｂ、及び１６４Ｄによって画定される平面内の区域である。面１６０Ｃは、ラス１３６Ａ及び１３６Ｂによって連結される、隣接した頂点１６４Ａ、１６４Ｂ、及び１６４Ｃによって画定される平面内の区域である。面１６０Ｄは、ラス１３６Ｂ及び１３６Ｄによって連結される、隣接した頂点１６４Ａ、１６４Ｃ、及び１６４Ｅによって画定される平面内の区域である。面１６０Ｅは、ラス１３６Ｇ及び１３６Ｈによって連結される、隣接した頂点１６４Ｄ、１６４Ｅ、及び１６４Ｆによって画定される平面内の区域である。面１６０Ｆは、ラス１３６Ｅ及び１３６Ｇによって連結される、隣接した頂点１６４Ｂ、１６４Ｄ、及び１６４Ｆによって画定される平面内の区域である。面１６０Ｇは、ラス１３６Ｅ及び１３６Ｆによって連結される、隣接した頂点１６４Ｂ、１６４Ｃ、及び１６４Ｆによって画定される平面内の区域である。最後に、面１６０Ｈは、ラス１３６Ｆ及び１３６Ｈによって連結される、隣接した頂点１６４Ｃ、１６４Ｅ、及び１６４Ｆによって画定される平面内の区域である。
【００２１】
図４に戻ると、格子１０８は、互いに隣接して配設され、かつ格子１０８を単一の一体型部品として構築するために互いに一体的に形成される複数のセルユニット１５６を含む。単一のラス１３６が、最高２つの隣接するセルユニット１５６によって共有することができ、単一の頂点１６４（図７に示す）が、最高６つの隣接するセルユニット１５６によって共有することができるように、格子１０８は、均一な三次元パターンを形成し、隣接するセルユニット１５６は、ラス１３６及び／又は頂点１６４（図７に示す）を共有する。パターン内のそれぞれのセルユニット１５６は実質的に同様なので、パターン内のそれぞれの均一なセルユニット１５６は、実質的に均一な体積を有する。
【００２２】
格子１０８は、プラットフォーム１０４の第２の表面１１６から高さＨで延在する。格子１０８の高さＨは、踵部分１２０からつま先部分１２４まで、及び内側部分１２８から外側部分１３２まで、プラットフォーム１０４に沿って変化する。例えば、図４に示すように、高さＨ１は、高さＨ２とは異なる。
【００２３】
図８に示すように、プラットフォーム１０４は、足５０（図２及び図３に示す）の底面の形状に実質的適合するように形成される。したがって、プラットフォーム１０４は、不規則な外周１７２を有する。格子１０８は、実質的に一体的に形成されかつプラットフォーム１０４の第２の表面１１６の全体を覆うので、格子１０８は、すべての方向において先端部が切り取られた状態にある。換言すれば、格子１０８のパターンは、３つのすべての寸法が、無限には延長せず、高さＨ（図４に示す）及び外周１７２によって制限され、高さＨ（図４に示す）及び外周１７２によって制限されるところで、先端部を切り取られる。したがって、複数のラス１３６（図６に示す）の部分、複数の頂点１６４（図７に示す）の部分、及び格子１０８内の複数のセルユニット１５６（図７に示す）の部分が、不完全に形成される。
【００２４】
明瞭化のため、図９Ａ〜図９Ｃは、いくつかの不完全に形成された格子１０８の部分の概略図を示す。より具体的には、図９Ｂに示すように、前記高さＨに対するラス１７６の相対位置及び外周１７２（図８に示す）当接する位置によって、当該部分的な、又は不完全なラス１７６は、完全に形成されたラス１３６の長さ１５０よりも短い長さＬを有する。同様に、図９Ｃに示すように、部分的な又は不完全な頂点１８０は、完全に形成された頂点１６４（図７に示す）で交差する４つのラス１３６より少ないラス１３６の交点によって形成される。同様に、部分的な又は不完全なセルユニット１８４は、８つよりも少ないラス１３６及び／又は６つより少ない頂点１６４を有する。更に、図９Ａに示すように、少なくともいくつかの、不完全なラス１７６及び／又は不完全な頂点１８０の、不完全なセルユニット１８４が形成される。不完全なラス１７６、不完全な頂点１８０、及び不完全なセルユニット１８４は、互いに不均一であるが、それらが格子１０８上の異なる位置に位置付けられると、外周１７２（図８に示す）及び高さＨ（図４に示す）によって異なるように先端部を切り取られる。それぞれの不完全なセルユニット１８４は、少なくとも１つの頂点１６４又は不完全な頂点１８０及び少なくとも２つのラス１３６又は不完全なラス１７６によって画定される。したがって、それぞれの不完全なセルユニット１８４は、少なくとも１つの頂点１６４又は不完全な頂点１８０によって形成され、かつ２つのラス１３６又は不完全なラス１７６の少なくとも部分によって連結される平面内の区域によって画定される、少なくとも２つの部分的な又は不完全な面１８８によって画定される。
【００２５】
ここで図８に戻ると、格子１０８は、中間底１００に沿って形成され、かつ踵部分１２０、つま先部分１２４、内側部分１２８、及び外側部分１３２に対して位置付けられる複数の部位又は領域を含む。具体的には、格子１０８は、周辺領域２００と、踵骨領域２０４と、距骨領域２０８と、長手方向の土踏まず領域２１２と、中足骨領域２１６と、母指球領域２２０と、つま先領域２２４とを含む。それぞれの領域は、格子１０８のその領域内に位置する、完全なセルユニット１５６（図７に示す）及び不完全なセルユニット１８４（図９に示す）と、完全なラス１３６（図６に示す）及び不完全なラス１７６（図９に示す）と、完全な頂点１６４（図７に示す）及び不完全な頂点１８０（図９に示す）とを含む。換言すれば、セルユニットという用語は、完全なセルユニット及び不完全なセルユニットを指すために使用することができ、ラスという用語は、完全なラス及び不完全なラスを指すために使用することができ、頂点という用語は、完全な頂点及び不完全な頂点を指すために使用することができ、面という用語は、完全な面及び不完全な面を指すために使用することができる。
【００２６】
周辺領域２００は、実質的にプラットフォーム１０４の外周１７２に沿って配設され、一般に外周１７２から内向きに約１〜２０ミリメートル延在する。踵骨領域２０４は、実質的にプラットフォーム１０４の踵部分１２０に配設され、実質的に内側部分１２８と外側部分１３２との間で中央に配置される。距骨領域２０８は、プラットフォーム１０４の踵骨領域２０４よりもつま先部分１２４に近い位置に配設され、実質的に内側部分１２８と外側部分１３２との間で中央に配置される。長手方向の土踏まず領域２１２は、プラットフォーム１０４の距骨領域２０８よりも、つま先部分１２４に近い位置に配設され、実質的に内側部分１２８と外側部分１３２とにわたって広がる。中足骨領域２１６は、長手方向の土踏まず領域２１２よりもプラットフォーム１０４のつま先部分１２４に近い位置に配設され、実質的に内側部分１２８と外側部分１３２とにわたって広がる。母指球領域２２０は、プラットフォーム１０４の中足骨領域２１よりもつま先部分１２４に近い位置に配設され、外側部分１３２よりも内側部分１２８に近い位置に配設される。つま先領域２２４は、プラットフォーム１０４の母指球領域２２０よりもつま先部分１２４に近い位置に配設され、実質的に内側部分１２８と外側部分１３２とにわたって広がる。
【００２７】
格子１０８は、他の領域２００、２０４、２０８、２１２、２１６、２２０、２２４の周囲及びそれらの間に配設される遷移区域２２８を更に含む。遷移区域２２８は、格子１０８の他の領域２００、２０４、２０８、２１２、２１６、２２０、２２４のうちの任意の他のものの中に位置しない、セルユニット１５６及び不完全なセルユニット１８４と、ラス１３６及び不完全なラス１７６と、頂点１６４及び不完全な頂点１８０を含む。
【００２８】
中間底１００が、図１に示す靴１０のような靴に含まれるとき、ユーザーの足５０（図２及び図３に示す）が中間底１００と位置合わせされ、かつ様々な領域２００、２０４、２０８、２１２、２１６、２２０、２２４が、ユーザーの足５０の様々な部位を支持するように位置合わせされるように、領域２００、２０４、２０８、２１２、２１６、２２０、２２４は格子１０８上に配設される。より具体的には、ユーザーが中間底１００を含む靴１０を着用するとき、足５０の底面（図２及び図３に示す）は一般に周辺領域２００内に位置合わせされ、踵骨部位６６（図３に示す）は一般に踵骨領域２０４に位置合わせされ、距骨部位７０（図３に示す）は一般に距骨領域２０８に位置合わせされ、長手方向の土踏まず部位７４（図３に示す）は一般に長手方向の土踏まず領域２１２に位置合わせされ、中足骨部位８２（図３に示す）は一般に中足骨領域２１６に位置合わせされ、母指球部位８６（図３に示す）は一般に母指球領域２２０に位置合わせされ、つま先部位９２（図３に示す）は一般につま先領域２２４に位置合わせされる。
【００２９】
ユーザーの足５０（図２及び図３に示す）は、形状及び構造が様々であり、歩行サイクルの異なる段階の間に異なる量の圧力を異なる部位に受けるので。歩行サイクルを通して支持及び快適さをユーザーに提供するために、格子１０８からなる領域２００、２０４、２０８、２１２、２１６、２２０、２２４も、形状及び構造が異なる。更に、格子１０８の高さＨ（図４に示す）及び／又はラス１３６及び不完全なラス１７６の周囲寸法１５２（図６に示す）は、格子１０８の異なる領域２００、２０４、２０８、２１２、２１６、２２０、２２４において異なる。高さＨ（図４に示す）は、典型的な尺度の測定値（すなわち、４ミリメートル）として表現することができ、互いの上に積み上げたセルユニット１５６（図７に示す）の数としても表現可能である。例として、長手方向の土踏まず領域２１２内に位置するラス１３６（図６に示す）及び不完全なラス１７６（図９に示す）は、母指球領域２２０内に位置するラス１３６及び不完全なラス１７６の周囲寸法１５２とは異なる周囲寸法１５２（図６に示す）を有する。遷移区域２２８内のラス１３６及び不完全なラス１７６の高さＨ（図４に示す）及び周囲寸法１５２（図６に示す）は、格子１０８の高さＨ（図４に示す）及びラス１３６及び不完全なラス１７６の周囲寸法１５２（図６に示す）の、領域２００、２０４、２０８、２１２、２１６、２２０、２２４の間の滑らかな遷移を形成するために、隣接する領域２００、２０４、２０８、２１２、２１６、２２０、２２４の間で徐々に変化する。
【００３０】
より高い高さＨは、歩行サイクルの間にユーザーが圧力を印加すると、足５０（図２及び図３に示す）によって圧縮することができる、プラットフォーム１０４の第２の表面１１６から延在するより多くの材料を格子１０８内に提供する。反対に、より低い高さＨは、足５０を地面により近くするより少ないパディング及び位置を提供する。プラットフォーム１０４の踵部分１２０からつま先部分１２４への、格子１０８の高さＨの段階的な低減は、歩行の間、足５０の踵５４からつま先５６への自然な回転を促進する。より太い周囲寸法１５２は、格子１０８に、ユーザーが歩行サイクルの間に圧力を印加する際、足５０（図２及び図３に示す）によって圧縮されたときに、圧縮性がより低く弾力性がより少ない、より硬い材料を提供する。これは、例えば、安定性を提供するため、及び構造物を印加された圧力下に維持するために有用である。反対に、より細い周囲寸法１５２は、格子１０８に、ユーザーが歩行サイクルの間に圧力を印加する際、足５０によって圧縮されたときに、圧縮性がより高く弾力性がより多い、より軟らかい材料を提供する。これは、例えば、ユーザーが押し放し、又は圧力を除去したときにバネを提供し、かつ衝撃を吸収するためにより良好に変形するために、有用である。高さＨと周囲寸法１５２との組み合わせを変更することにより、結果として、歩行サイクルの異なる段階の間に、格子１０８の異なる領域２００、２０４、２０８、２１２、２１６、２２０、２２４で、足５０（図２及び図３に示す）を順応するために適当である、様々な量のパディング、圧縮性、柔軟性、及び硬さがもたらされる。
【００３１】
より具体的には、周辺領域２００では、格子１０８は、様々な高さＨと、太い周囲寸法１５２のラス１３６及び不完全なラス１７６と、を有する。格子１０８の高さＨは、踵５４からつま先５６への足５０の自然な回転を促進するために、踵部分１２０でより高く、つま先部分１２４でより低い。比較的太い周囲寸法１５２は、足５０が中間底１０と整列したままになるように、ユーザーの足５０の外側に追加の支持を提供する。周辺領域２００内のラス１３６及び不完全なラス１７６は、例えば、約４．５〜５．５ミリメートルの範囲の周囲寸法１５２を有する。
【００３２】
比較的硬いクッション付きの相当なパディングを踵骨６８に提供するために、踵骨領域２０４では、格子１０８は、比較的高い高さＨと、比較的太い周囲寸法１５２のラス１３６及び不完全なラス１７６とを有する。歩行の間に、ユーザーが地面に最初に接触するとき、踵骨６８上の衝撃力はこの事象の間、極めて高くなる可能性があるので、これは、足５０の踵骨部位６６にパッドを当てるために有用である。踵骨領域２０４は、強い力の下で、格子１０８が完全に圧縮されないように、軟らかすぎないようにもするべきである。格子１０８の高さＨは、例えば、互いの上に積み重ねられた２つの完全なセルユニット１５６、すなわち約１９ミリメートルである。
【００３３】
距骨領域２０８では、格子１０８は、比較的高い高さＨと、歩行の間に比較的軟らかいクッションを有する相当なパディングを足５０の距骨部位７０に提供するための、比較的細い周囲寸法１５２を有するラス１３６及び不完全なラス１７６と、を有する。距骨領域２０８内の格子１０８の高さＨは、足５０の踵５４からつま先５６への自然な回転を促進するために、踵骨領域２０４における格子１０８の高さＨ未満である。高さＨは、それでも高い力に近い、相当なクッション性を提供するように十分に高い。周囲寸法１５２は、ユーザーが踵５４を押し放し、足５０を土踏まず５８に向かって回転し始める際に、より軟らかいクッション性及び弾力を提供するのに十分なだけ細い。距骨領域２０８内のラス１３６及び不完全なラス１７６は、例えば、約３ミリメートルの周囲寸法１５２を有する。
【００３４】
ユーザーが土踏まず５８の上の重量に耐える際に、足５０の土踏まず５８の潰れを低減するように、長手方向の土踏まず領域２１２では、歩行の間、足５０の長手方向の土踏まず部位７４へのより硬い支持を有する、いくらかのパディングを供給するために、格子１０８は、適度な高さＨと、比較的太い周囲寸法１５２を有するラス１３６及び不完全なラス１７６と、を有する。長手方向の土踏まず領域２１２内の格子１０８の高さＨは、例えば、１つのセルユニット１５６よりわずかに多く、約１４ミリメートルである。長手方向の土踏まず領域２１２内のラス１３６及び不完全なラス１７６は、例えば、約４．５〜５．５ミリメートルの範囲の周囲寸法１５２を有する。
【００３５】
中足骨領域２１６では、格子１０８は、歩行の間に、足５０の中足骨部位８２へのある程度の支持を有するいくつかのパディングを提供するために、適度な高さＨと、適度に太い周囲寸法１５２を有するラス１３６及び不完全なラス１７６とを有する。中足骨領域２１６内の格子１０８の高さＨは、足５０の踵５４からつま先５６への自然な回転を促進するように、例えば、長手方向の土踏まず領域２１２内の格子１０８の高さＨよりわずかに低い。中足骨領域２１６内のラス１３６及び不完全なラス１７６は、例えば、土踏まず領域２１２内のラス１３６及び不完全なラス１７６の周囲寸法１５２よりわずかに細い周囲寸法１５２を有する。
【００３６】
母指球領域２２０では、格子１０８は、比較的低い高さＨと、歩行の間に足５０の母指球部位８６への比較的軟らかいクッション及び比較的高い弾力を有する比較的小さいパディングを提供するための、比較的細い周囲寸法１５２を有するラス１３６及び不完全なラス１７６とを有する。プラットフォーム１０４の踵部分１２０により近い領域と比べて、比較的低い高さＨは、歩行の段階の間、プラットフォーム１０４の踵部分１２０からつま先部分１２４に向かう下向きの角度に沿って、足５０を自然に導くことによって、足５０の踵５４からつま先５６への自然な回転を促進する。更に、母指球領域２２０内の格子１０８の比較的低い高さＨは、足５０の母指球部位８６は、自然に足５０の周囲の部位よりもより多くのパッド性を有し、したがって歩行の間に、足５０によって圧縮されるべき自然のクッションを含むので、他の領域よりもクッション性が低い。母指球領域２２０内の格子１０８の高さＨは、例えば、約９ミリメートルである。比較的細い周囲寸法１５２は、歩行中に、ユーザーが足５０を押し放しはじめると、弾力を提供する。母指球領域２２０内のラス１３６及び不完全なラス１７６は、例えば、約３ミリメートルの周囲寸法１５２を有する。
【００３７】
つま先領域２２４では、格子１０８は、低い高さＨと、比較的太い周囲寸法１５２を有し、クッション性をあまり提供せず、歩行の間にユーザーが押し放すのに対して十分硬い、ラス１３６及び不完全なラス１７６とを有する。低い高さＨは、歩行サイクルの最後に、足５０のつま先５６に向かう自然な回転を促進する。高さＨは、歩行サイクルの最後にユーザーが押し放すための構造を提供するのに十分である。つま先領域２２４内の格子１０８の高さＨは、例えば、約３〜５ミリメートルの範囲内である。比較的太い周囲寸法１５２は、歩行サイクルの最後に、ユーザーのために、押し放すために十分な構造も提供する。つま先領域２２４内のラス１３６及び不完全なラス１７６は、例えば、約４．５ミリメートルの周囲寸法１５２を有する。
【００３８】
格子１０８の領域２００、２０４、２０８、２１２、２１６、２２０、２２４内での、ラス１３６及び不完全なラス１７６と、セルユニット１５６及び不完全なセルユニット１８４との配設は、歩行サイクルのすべての段階の間に足５０を順応することによってユーザーのために快適と有用性を提供するために、靴のなかに含むことができる中間底１００を提供する。格子１０８は、ユーザーの体重及び印加される圧力の下で単に圧縮するのではなく、格子１０８の構造に沿って変形することによって、中間底１００が機械的なクッション性を提供することを可能にする。更に、格子１０８は、格子１０８の異なる領域２００、２０４、２０８、２１２、２１６、２２０、２２４にわたる、高さＨ及び周囲寸法１５２の違いに起因して、中間底１００が足５０の様々な部位に様々なタイプ及び量のクッション性を提供することを可能にする。したがって、中間底１００は、歩行サイクルのすべての段階の間に、領域に分けられた３次元の圧縮をユーザーに提供する。
【００３９】
図１０に示すように、少なくとも１つの例示的な実施形態では、中間底１００は、表底３００の中に挿入されるように構成される。中間底１００を表底３００の中に挿入することができる単一の一体型部品として形成することによって、特殊仕様の靴を生産することができる。図１０に示す例示的な実施形態では、表底３００内に形成される開口部３０４を通して格子１０８が見えるように、中間底１００は、表底３００内にしっかりと嵌合する。開口部３０４は、特殊仕様の靴の外側から中間底１００への視覚的なアクセスを提供する。
【００４０】
上記に述べたように、プラットフォーム１０４及び格子１０８は、一体的に形成され、格子１０８は、単一の一体型部品として、形成される。したがって、中間底１００全体が、単一の一体型部品として形成される。本明細書で使用される場合、「単一の一体型部品」という用語は、形成された後互いに結合していない、分けることができない、そして部品を破壊せずに分解することができない部品を意味することが意図されている。格子１０８の開いた十字交差する構造を含む、中間底１００の三次元構造体を、単一の一体型部品として形成するために、高度な能力のある製作技法を使用して達成しなければならない。より具体的には、中間底１００は、射出成形プロセスを使用して形成されず、中間底１００は、ゲート痕、スプール痕（ｓｐｒｕｅ  ｍａｒｋｓ）、分割線痕（ｐａｒｔｉｎｇ  ｌｉｎｅ  ｍａｒｋｓ）、及び突出しピン痕（ｅｊｅｃｔｏｒ  ｐｉｎ  ｍａｒｋｓ）を含む、射出成型プロセスのいかなる兆候も含まない。この例示的な実施形態では、中間底１００は、三次元印刷又は選択的レーザー焼結プロセスを使用して形成される。
【００４１】
当該技術分野において既知のように、三次元印刷及び選択的レーザー焼結プロセスは、生成物を形成するために進行的に材料を加えることを含むので、「加法過程」として既知である。これは、大きい塊から開始して、生成物を形成するために進行的に材料を取り除く製造プロセスとは対照的である。図１１に示すように、中間底１００は、プロセス４００を使用して形成される。三次元印刷及び選択的レーザー焼結プロセスを使用して中間底１００を形成するために、プラットフォーム１０４の第１の表面１１２がユーザーの足５０に適合するように、プラットフォーム１０４及び格子１０８は、印刷され（工程４０２）、格子１０８は、プラットフォームの第２の表面１１６から延在する（工程４０４）。格子１０８を印刷することは、セルユニット１５６及び不完全なセルユニット１８４を形成するために、ラス１３６及び不完全な互いに結合するラス１７６を頂点１６４及び不完全な頂点１８０において印刷することを含む。少なくとも１つの例示的な実施形態では、プロセスの工程は、逆の順番で実施される。少なくとも１つの例示的な実施形態では、プロセスの工程は、同時に実施される。
【００４２】
中間底１００を三次元印刷及び選択的レーザー焼結プロセスで形成することによって、格子１０８の十字交差する構造などの、アンダーカット及び貫通孔のパターンを含む、複雑な三次元構造を形成することができる。更に、格子１０８及びプラットフォーム１０４は、同じ材料で、同一の処理工程で、一体的に形成することができる。中間底１００は、単一の一体型部品なので、ユーザーに提供される快適さと有用性は、達成することができる。多くではなく、一部品で達成することができる。したがって、中間底１００は、より多数の部品を互いに組み合わせて中間底１００として同一の目的を達成するよりも、安価で生産することができる。
【００４３】
少なくとも１つの例示的な実施形態では、中間底１００は、特定のユーザーの足に適合するように、特異的に構成される。図１２に示すように、この例示的な実施形態の中間底１００は、プロセス５００を使用して形成される。より具体的には、ユーザーの足の計測が行われ（工程５０２）、形状及び寸法だけでなく、様々な歩行サイクルの段階の間の、足の底面に沿った力分布及び圧力分布を含む。これらの計測は、ユーザーの個別の特徴によって決定される、領域２００、２０４、２０８、２１２、２１６、２２０、２２４の特性と、領域２００、２０４、２０８、２１２、２１６、２２０、２２４内のラス１３６及び不完全なラス１７６並びにセルユニット１５６及び不完全なセルユニット１８４の特性と、を有する相補的な格子１０８のためのパターンを用意する（工程５０４）ために使用される。例として、ユーザーが、歩行サイクルの間の、地面との最初の接触の間に、足５０の踵５４に大きい圧力を印加する場合、踵骨領域２０４内の格子１０８の高さＨは、追加的なクッションを提供するために、増加する。同様に、例として、ユーザーが歩行サイクルの間に圧力を印加するときに、ユーザーの土踏まず５８が、内向きに潰れる傾向がある場合、追加的な支持及び圧縮の低減を提供するために、長手方向の土踏まず領域２１２内のラス１３６及び不完全なラス１７６の周囲寸法１５２が増加される。'sこのようにして、領域２００、２０４、２０８、２１２、２１６、２２０、２２４のそれぞれを通して、中間底１００を、特殊仕様にすることができ、かつ足５０の様々な部位に特殊仕様の支持を構成することができる。次に、中間底１００が、三次元印刷及び選択的レーザー焼結プロセスを使用して形成され、プラットフォーム１０４及び格子１０８は、プラットフォーム１０４の第１の表面１１２がユーザーの足５０に適合し（工程５０６）、格子１０８がプラットフォームの第２の表面１１６から延在する（工程５０８）ように印刷される。格子１０８を印刷することは、頂点１６４及び不完全な頂点１８０において、セルユニット１５６及び不完全なセルユニット１８４を形成するように互いに結合するラス１３６及び不完全なラス１７６を印刷することを含む。少なくとも１つの例示的な実施形態では、プロセスの工程５０６及び５０８は、逆の順番で実施される。少なくとも１つの例示的な実施形態では、プロセスの工程５０６及び５０８は、同時に実施される。
【図１】
0003192899.tif 000003
【図２】
0003192899.tif 000004
【図３】
0003192899.tif 000005
【図４】
0003192899.tif 000006
【図５】
0003192899.tif 000007
【図６】
0003192899.tif 000008
【図７】
0003192899.tif 000009
【図８】
0003192899.tif 000010
【図９Ａ】
0003192899.tif 000011
【図９Ｂ】
0003192899.tif 000012
【図９Ｃ】
0003192899.tif 000013
【図１０】
0003192899.tif 000014
【図１１】
0003192899.tif 000015
【図１２】
0003192899.tif 000016
【手続補正書】
【提出日】平成26年7月4日(2014.7.4)
【手続補正１】
【補正対象書類名】実用新案登録請求の範囲
【補正対象項目名】全文
【補正方法】変更
【補正の内容】
【実用新案登録請求の範囲】
【請求項１】
靴であって、
靴甲部と、
前記靴甲部に結合された靴底であって、前記靴底は、
つま先部分と、踵部分と、内側部分と、外側部分とを有するプラットフォームであって、着用者の足底と向き合うように構成される第１の表面と、前記第１の表面の反対側の第２の表面とを有するものである、前記プラットフォームと、
前記プラットフォームの前記第２の表面から延在する格子であって、複数のラスを含み、前記複数のラスの各ラスは長手方向の軸と２つの端部とを有する長手方向の構造を有し、前記複数のラスは少なくとも第１の領域及び第２の領域に配置され、当該第１の領域内の各ラスは当該第２の領域内の各ラスの周囲寸法とは実質的に異なる周囲寸法を有するものである、前記格子と
を含むものである、前記靴底と
を含む靴。
【請求項２】
請求項１記載の靴において、
前記格子は、更に、複数のセルユニットを備え、
前記複数のセルユニットの各セルユニットは複数の面によって画定され、
前記複数の面の各面は、複数の隣接する頂点によって形成される平面内の区域によって画定され、
前記複数の隣接する頂点の各頂点は、結合された前記複数のラスのうちのいくつかのラスの各々の２つの端部のうち一端部によって形成され、
前記複数のセルユニットのうちのすべてのセルユニットは、前記隣接する頂点で結合される前記複数のラスの前記長手方向の軸に沿って延在する実質的に均一な体積を有するものである靴。
【請求項３】
請求項２記載の靴において、
前記格子は、更に、複数の不均一な部分的セルユニットを含み、
各不均一な部分的セルユニットは少なくとも２つの部分的な面によって画定され、
前記少なくとも２つの部分的な面の各部分的な面は、少なくとも１つの頂点及び当該少なくとも１つの頂点において結合される、前記複数のラスのうちの２つのラスの少なくとも一部分によって形成される平面内の区域によって画定されるものである靴。
【請求項４】
請求項２記載の靴において、前記複数の頂点の一部は、４つの互いに結合するラスの端部によって形成されるものである靴。
【請求項５】
請求項２記載の靴において、各セルユニットは、前記格子が規則正しい繰り返しパターンを有するように隣接するセルユニットに当接するものである靴。
【請求項６】
請求項２記載の靴において、各セルユニットは、実質的に八面体として形成されるものである靴。
【請求項７】
請求項２記載の靴において、前記格子は、前記つま先部分から前記踵部分まで、及び前記内側部分から前記外側部分まで延在するものである靴。
【請求項８】
請求項１記載の靴において、前記格子は、単一の一体型部品として形成されるものである靴。
【請求項９】
請求項１記載の靴において、前記格子は、前記プラットフォームと一体的に形成されるものである靴。
【請求項１０】
請求項１記載の靴において、前記第１の表面は、前記着用者の前記足底に適合するように輪郭が形成されるものである靴。
【請求項１１】
靴のための中間底であって、
つま先端部と、踵端部と、土踏まず側部と、外側部とを有するプラットフォームであって、着用者の足底と向き合うように構成される第１の表面と、前記第１の表面の反対側の第２の表面とを有するものである、前記プラットフォームと、
前記プラットフォームの前記第２の表面と一体的に形成される格子であって、
前記つま先端部、前記踵端部、前記土踏まず側部、及び前記外側部に対して相対的に配設される複数の領域であって、少なくとも第１の領域及び第２の領域を含むものである、前記複数の領域と、
複数のラスであって、前記複数のラスの各ラスは、長手方向の軸と２つの端部とを有する長手方向構造を有し、かつその長手方向の軸を中心とした周囲寸法を有するものであり、前記複数のラスは複数の領域に配置され、ラスの第１の部分は前記第１の領域内に配設され、ラスの第２の部分は前記第２の領域内に配設されるものであり、前記ラスの第１の部分における各ラスは、前記ラスの第２の部分における各ラスの第２の周囲寸法とは実質的に異なる第１の周囲寸法を有するものである、前記複数のラスと、
を含むものである、
前記格子と
を有する中間底。
【請求項１２】
請求項１１記載の中間底において、
前記格子は、更に、前記第１の領域と前記第２の領域との間に配設される遷移区域を含み、
ラスの遷移部分は前記遷移区域内に配設され、
前記ラスの遷移部分内における前記ラスの周囲寸法は、前記第１の周囲寸法と前記第２の周囲寸法との間の段階的に変化する寸法である中間底。
【請求項１３】
請求項１１記載の中間底において、前記格子は単一の一体型部品として形成されるものである中間底。
【請求項１４】
請求項１１記載の中間底において、前記プラットフォーム及び前記格子は、ゲート痕、スプール痕（ｓｐｒｕｅ  ｍａｒｋｓ）、分割線痕（ｐａｒｔｉｎｇ  ｌｉｎｅ  ｍａｒｋｓ）、及び突出しピン痕（ｅｊｅｃｔｏｒ  ｐｉｎ  ｍａｒｋｓ）なしで一体的に形成されるものである中間底。
【請求項１５】
請求項１１記載の中間底において、前記格子は、更に、複数のセルユニットを含み、
前記複数のセルユニットの各セルユニットは少なくとも２つの面によって画定され、
前記少なくとも２つの面の各面は、少なくとも１つの頂点及び当該少なくとも１つの頂点において結合される、前記複数のラスのうちの２つのラスの２つの長手方向の軸の少なくとも一部分によって形成される平面内の区域によって画定されるものである中間底。
【請求項１６】
請求項１５記載の中間底において、
前記複数のセルユニットの少なくとも一部分は、複数の面によって画定され、
前記複数の面の各面は、複数の隣接する頂点によって形成される平面内の区域によって画定され、
前記複数の隣接する頂点の各頂点は、結合された前記複数のラスのうちのいくつかのラスの各々の２つの端部のうち一端部によって形成され、
前記複数のセルユニットの前記少なくとも一部分におけるすべてのセルユニットは、前記複数の頂点のうちいくつかの隣接する頂点によって画定され、且つ前記隣接する頂点で結合される前記複数のラスの長手方向の軸に沿って延在する実質的に均一な体積を有するものである中間底。
【請求項１７】
請求項１６記載の中間底において、前記複数の隣接する頂点の一部分の頂点は、結合された４つのラスの一端部によって形成され、各セルユニットは実質的に八面体として形成されるものである中間底。
【請求項１８】
請求項１７記載の中間底において、前記複数の隣接する頂点の少なくとも一部分は、前記複数のセルユニットの前記少なくとも一部分のうち２つの隣接したセルユニットによって共有され、それにより、前記複数の隣接した頂点の前記少なくとも一部分は、結合された８つのラスの一端部によって形成され、実質的に８面体として形成される２つのセルユニットは相互の上に積み上げられるものである中間底。